(57)【要約】【課題】部品点数が少なく、陳列棚への取り付けが簡単で、外れ難い表示板支持具及び表示板支持装置を提供すること。【解決手段】陳列棚の前端に着脱自在に取り付けられる取付本体部と、凹状の受けが１個又は複数個前後方向に連続する第１の受け２２と第１の受け２２の下方に位置する縦長状貫通孔の第２の受け２３とを有する取付本体部の両側から前方へ延出する左右一対の支持部２と、を備える取付部１と、凹状の第１の受け２２に嵌る左右一対の第１の円筒部４と、第２の受け２３に遊嵌する左右一対の第２の円筒部５と、表示板を支持するクリップ部３１を有する一対の支持部２の内側に収まるように配置される表示板支持部３と、を備え、取付部１と表示板支持部３は３つの嵌め合い形態を採る表示板支持具。【選択図】図２
0003130717.tif 000002
【実用新案登録請求の範囲】
【請求項１】
陳列棚の前端に着脱自在に取り付けられる取付本体部と、凹状の受けが１個又は複数個前後方向に連続する第１の受けと該第１の受けの下方に位置する縦長状貫通孔の第２の受けとを有する、該取付本体部の両側から前方へ延出する左右一対の支持部と、を備える取付部と、
該凹状の第１の受けに嵌る左右一対の第１の円筒部と、該第２の受けに遊嵌する左右一対の第２の円筒部と、表示板を支持するクリップ部を有する、該一対の支持部の内側に収まるように配置される表示板支持部と、を備えることを特徴とする表示板支持具。
【請求項２】
前記第１の受けは、２つの凹状の受けが前後方向に連続するものであることを特徴とする請求項１記載の表示板支持具。
【請求項３】
前記第１の円筒部と前記第２の円筒部間の内側長さは、前記縦長状貫通孔の内側天部と前記第１の受けの各前後壁の頂部間の長さの最大長さより大であることを特徴とする請求項１又は２記載の表示板支持具。
【請求項４】
前記第１の受けの一方の凹状の底部と該第２の受けの底部間の長さと、前記第１の受けの他方の凹状の底部と該第２の受けの底部間の長さが同じであることを特徴とする請求項２又は３に記載の表示板支持具。
【請求項５】
前記第１の円筒部が前記第１の受けの後方の凹状に嵌り、前記第２の円筒部が前記第２の受けに嵌る第１の嵌め合い形態と、前記第１の円筒部が前記第１の受けの前方の凹状に嵌り、前記第２の円筒部が前記第２の受けに嵌る第２の嵌め合い形態と、前記第１の円筒部が前記第１の受けに嵌らず、前記第２の円筒部が前記第２の受けに嵌ることで、前記表示板支持部が垂れ下がりとなる第３の嵌め合い形態の３つの嵌め合い形態を採ることを特徴とする請求項２〜４のいずれか１項記載の表示板支持具。
【請求項６】
前記陳列棚の固定部に係合する取付本体部は、先端が下方へ鉤状に屈曲する上方係止片と、先端が上方へ次いで下方へ屈曲するアール状の下方バネ状係止片とを備えることを特徴とする請求項１〜４のいずれか１項に記載の表示板支持具。
【請求項７】
前記左右一対の支持部の前面部材の上方部は、前記第１の受けの前方壁を形成しており、該支持部の前面部材は、側面視で前方へ緩やかな凸状をなしていることを特徴とする請求項２〜５のいずれか１項に記載の表示板支持具。
【請求項８】
前記２つの凹状の受けの各後方壁は、後方上り傾斜壁であることを特徴とする請求項２〜６のいずれか１項に記載の表示板支持具。
【請求項９】
前記第１の受けの後方に、横長板状の商品転落防止板を設置する係合溝を形成してなることを特徴とする請求項１〜７のいずれか１項に記載の表示板支持具。
【請求項１０】
前記表示板は、陳列棚に載置された商品の情報を表示するものであるか、あるいは表示板の後方位置にある陳列棚に載置された商品を目隠しするものであることを特徴とする請求項１〜８のいずれか１項に記載の表示板支持具。
【請求項１１】
請求項１〜９の表示板支持具の２個を陳列棚の左右方向に離して設置して１つの表示板を支持することを特徴とする表示板支持装置。
【考案の詳細な説明】
【技術分野】
【０００１】
本考案は、スーパー、ドラッグストアなどの売り場の商品陳列棚で使用される表示板支持具及び表示板支持装置であって、特に商品陳列棚の最上段の商品の目隠し兼商品の表示を行なう表示板の支持具及び表示板支持装置に関するものである。
【背景技術】
【０００２】
スーパー、ドラッグストアなどでは、商品陳列棚の最上段に商品の在庫をしており、売り場の雰囲気を悪くしている。通常、お店は、このような雰囲気を改善する目的で発泡ボードや厚紙に商品の宣伝やコーナー表示の印刷をして、最上段の在庫商品を隠そうとすることがある。現在、この発泡ボードや厚紙などの表示板を支持する支持具としては、図１４に示すようなマグネット２００に角度可変のクリップ３００を付けたものが使用されている。すなわち、このマグネット型表示板支持具１００は、２個１セットで使用され、商品陳列棚の最上段の前方の棚板面に設置され、クリップ３００の挟持部４００において、発泡ボードや厚紙などの表示板を支持するものである。なお、マグネット型表示板支持具１００の幅寸法は、図１４では不明であるが、概ね３ｃｍ前後である。
【考案の開示】
【考案が解決しようとする課題】
【０００３】
しかしながら、このマグネット型表示板支持具１００は部品点数が多い。また、マグネットを使用しているため高価である。また、最上段に載置される在庫商品を取り出す際は陳列棚から取り外し、荷降ろしが済んだら元の位置に取付けるため、作業動作が多くなる。また、取り外した後、元の定位置への再セットが行ない難い。また、表示板の表示角度が決まらないなどの諸問題がある。
【０００４】
従って、本考案の目的は、部品点数が少なく、陳列棚への取り付けが簡単で、外れ難い表示板支持具及び表示板支持装置を提供することにある。
【課題を解決するための手段】
【０００５】
すなわち、本考案は、上記課題を解決するものであって、陳列棚の前端に着脱自在に取り付けられる取付本体部と、凹状の受けが１個又は複数個前後方向に連続する第１の受けと該第１の受けの下方に位置する縦長状貫通孔の第２の受けとを有する、該取付本体部の両側から前方へ延出する左右一対の支持部と、を備える取付部と、該凹状の第１の受けに嵌る左右一対の第１の円筒部と、該第２の受けに遊嵌する左右一対の第２の円筒部と、表示板を支持するクリップ部を有する、該一対の支持部の内側に収まるように配置される表示板支持部と、を備える表示板支持具を提供するものである。
【考案の効果】
【０００６】
本考案の表示板支持具及び表示板支持装置によれば、部品点数が少なく、最上段の陳列棚への取り付けが簡単で、外れ難い。また、表示板の表示角度を変える際、実質、表示板の上下移動操作のみで行なえる。また、最上段に載置される在庫商品の荷降ろしや積み上げが行い易く、また、再セットも容易である。
【考案を実施するための最良の形態】
【０００７】
次ぎに本考案の実施の形態における表示板支持具及び表示板支持装置を図１〜図１３を参照して説明する。図１は本例の表示板支持装置の表示板鉛直姿勢（第１の嵌め合い形態）を示す図、図２は本例の表示板支持具の斜視図、図３は図２の表示板支持具を裏から見た斜視図、図４はＸ−Ｘ線に沿って見た図、図５は表示板傾斜姿勢における表示板支持具の斜視図、図６は表示板垂れ下げ姿勢における表示板支持具の斜視図、図７は本例の表示板支持装置の表示板傾斜姿勢（第２の嵌め合い形態）を示す図、図８は本例の表示板支持装置の表示板垂れ下げ姿勢（第３の嵌め合い形態）を示す図、図９は表示板を鉛直姿勢から傾斜姿勢へ移行させる表示板支持部の回転動作を説明する図、図１０は表示板を傾斜姿勢から垂れ下がり姿勢へ移行させる表示板支持部の回転動作を説明する図、図１１は表示板を垂れ下がり姿勢から傾斜姿勢へ移行させる表示板支持部の回転動作を説明する図、図１２は表示板を傾斜姿勢から鉛直姿勢へ移行させる表示板支持部の回転動作を説明する図、図１３は商品転落防止板が設置された表示板支持具の側面図である。なお、図４は本例の表示板支持具が陳列棚の前端のＰＯＳレールに設置された状態を示したものである。本明細書中、前方は顧客側を言い、後方はその反対側を言う。また、左右方向は顧客側から見た方向を言う。
【０００８】
図１に示すように、表示板支持装置１０Ａは、表示板支持具１０の２個を陳列棚Ａの左右方向に離して設置して１つの表示板Ｃを支持するものである。陳列棚Ａの設置位置は、特に制限されないが、上下多段の陳列棚における最上段の棚の前端のＰＯＳ（ポイントオブセールス）レールＢとすることが、既設のＰＯＳレールを利用でき、且つ陳列棚面の設置面積を減少させることがない点で好適である。表示板Ｃは、例えば発泡ボードや厚紙の大きな板状物であり、他の陳列棚に載置された商品の情報を表示したり、あるいは、表示板の後方位置にある陳列棚に載置された在庫商品を目隠しする目的で使用されるものである。
【０００９】
表示板支持具１０は、取付部１と、取付部１に対して３つの係止形態を採る表示板支持部３とからなる。なお、係止形態は、第１の受けの凹状の受けの設置個数により、２つあるいは４つ以上の係止形態を採ることができる。
【００１０】
取付部１は、陳列棚Ａの前端に着脱自在に取り付けられる取付本体部１１と、取付本体部１１の両側から前方へ延出する左右一対の支持部２とを備える。左右一対の支持部２のそれぞれには、凹状の受け２２ａ、２２ｂが２個前後方向に連続する第１の受け２２と第１の受け２２の下方に位置する縦長状貫通孔の第２の受け２３とを備える。第１の受け２２の凹状の受けは、２個に制限されず、１個であっても、３個以上であってもよいが、通常２つが使用目的及び表示板支持具の簡素化の観点から好適である。
【００１１】
取付本体部１１は、後方起立板１１１と、後方起立板１１１に連接して水平部１１４を介して前方斜め下方へ延出する中央板１１２と、水平板１１４の後方から下方へ延びる上方係止片１１６と、中央板１１２の下方端から後方へ延び、更にその先端が上方へ次いで下方へ屈曲するアール状のバネ部１２２を有する下方バネ状係止片１２３とを備える。上方係止片１１６、中央板１１２及び下方バネ状係止片１２３で形成される取り付け構造は、商品陳列棚のＰＯＳレールＢの形状に好適に嵌合する形状である。すなわち、商品陳列棚の前端とＰＯＳレールＢ間に形成される隙間に上方係止片１１６を係止し、下方バネ状係止片１２３をＰＯＳレールＢに押し付けると、下方バネ状係止片１２３のバネ付勢に抗して下方バネ状係止片１２３が外側に開き、次いで嵌合する。
【００１２】
左右一対の支持部２における右側支持部及び左側支持部は共に同じ形状の対称物であるため、右側支持部についてのみ説明する。支持部２は、取付本体部１１の右端から前方へ延びる所定の幅寸法を有するもので、第１の受け２２と第２の受けを形成する壁部材を残して肉抜きがされたものである。支持部２の前面部材は、側面視で前方へ緩やかな凸状を形成している。これにより、垂れ下がり状態にある表示板Ｃを鉛直表示姿勢あるいは傾斜表示姿勢に移動する際、第１の円筒部が該凸状面を滑ることになり、移動を円滑にする。また、前面部材の上方部は、前方の凹状の受け２２ａの前壁を形成している。これにより、前方の凹状の受け２２ａに載置された第１の円筒部４は、容易にその係止状態が外れることはない。第１の受け２２を構成する２つの凹状の受けは、側面視でＷ字形状であり、２つの凹状の受けは、後壁の傾斜角度を除いて、ほぼ同一形状である。すなわち、後方の凹状の受けの後壁の傾斜角度は、前方の凹状の受けの後壁の傾斜角度より、やや大である。これにより、使用する回数が高い後方の凹状の受けへの第１円筒部４の係止が行ない易くなる。前方の凹状の受けと後方の凹状の受けは同じ形状であってもよい。
【００１３】
第２の受け２３は、第１の受け２２の後方の受け２２ｂの真下に所定距離隔てて配置されている。これにより、後方の受け２２ｂに表示板支持部３の第１の円筒部４が、第２の受け２３に表示板支持部３の第２の円筒部５がそれぞれその底部に載置されれば、表示板支持部３に支持される表示板Ｃが鉛直姿勢をとることができる。第２の受け２３の縦長状貫通孔において、貫通孔の孔幅は第１の円筒部４の直径よりやや大きな寸法であり、縦長状貫通孔の長さは、第２の円筒部５の上方移動の範囲で決定される。すなわち、縦長状貫通孔に第２の円筒部５が嵌りこむことで、第２の円筒部５の前後の移動を規制し、上下移動を所定の範囲内に規制することができる。
【００１４】
また、第１の受け２２における前方の受け２２ａの後方の凹状の受け２２ｂに対する位置は、表示板Ｃの傾斜角度によって適宜選択される。すなわち、本例においては、第２の受け２３の底部と後方の凹状の受け２２ｂの底部を結ぶ線と、第２の受け２３の底部と凹状の受け２２ａの底部を結ぶ線とで形成される角度は２０度である。従って、更に傾斜角を採りたい場合は、前方の凹状の受け２２ａと後方の受け２２ｂを前後方向において離れる方向に配置すればよく、また、傾斜角を小さくしたい場合は、前方の凹状の受け２２ａと後方の受け２２ｂを近づければよい。
【００１５】
表示板支持部３は、表示板Ｃを挟持するクリップ部３１と、クリップ部３１のクリップ本体部３１１の裏面のやや両側寄りの位置から後方へ延びる係止部３４とからなる。  
【００１６】
クリップ部３１は、板状のクリップ本体部３１１と、クリップ本体部３１１の下端から前方へ延び更に上方に屈曲する挟持板３２とから表示板を支持するクリップ状を形成している。クリップ部３１は、第１の嵌め合い形態を採る場合、クリップ部３１に挟持された表示板Ｃは鉛直姿勢を採るような形状である。
【００１７】
左右一対の係止部３４における右側係止部及び左側係止部は共に同じ形状の対称物であるため、右側係止部についてのみ説明する。係止部３４は、クリップ本体部３１１の裏面から後方へ延びる一対の支持部２１の内側に収まるように配置されるものであり、それぞれ所定の幅寸法を有し、凹状の第１の受け２２に嵌る左右一対の第１の円筒部４と、第２の受け２３に遊嵌する左右一対の第２の円筒部５を形成する壁部材を残して肉抜きがされたものである。
【００１８】
第２の円筒部５は第１の円筒部４の真下に位置し、第１の円筒部４が後方の凹状の受け２２ｂに嵌る際、第２の円筒部５は、縦長状貫通孔の底部に近接するか、又は接触している。これにより、取付部１と表示板支持部３の係止（嵌合）が安定する。
【００１９】
第１の円筒部４と第２の円筒部５間の内側長さｌ１は、縦長状貫通孔２３の内側天部と第１の受けの各前後壁の頂部間の長さｌ２、ｌ３の最大長さより大である（図９）。これにより、表示板支持部３を第２の円筒部５が縦長状貫通孔２３の天部に当たるまで、上方へ持ち上げれば、第１の円筒部４が、第１の受け２２の頂部よりも上方位置にくるため、前後方向の回動に対して障害となるものがない。また、第１の受け２２の後方の凹状の受け２２ｂの底部と第２の受け２３の底部間の長さｌ４と、第１の受け２２の前方の凹状の受け２２ａの底部と第２の受け２３の底部間の長さｌ５は同じ長さである。
【００２０】
次ぎに、表示板支持具１０における取付部１と表示板支持部３の３つの嵌め合い形態を説明する。第１の嵌め合い形態は、第１の円筒部４が第１の受けの後方の凹状の受け２２ｂに嵌り、第２の円筒部５が第２の受け２３に嵌る形態である。これにより、表示板Ｃは鉛直姿勢を採ることができため、最上段の在庫商品を隠すことができる（図１及び図２）。また、第２の嵌め合い形態は、第１の円筒部４が第１の受けの前方の凹状の受け２２ａに嵌り、第２の円筒部５が第２の受け２３に嵌る形態である。これにより、表示板Ｃは前方へ２０度傾斜した表示姿勢を採ることができる。これにより、表示板Ｃの面を顧客側にすることができ、商品情報を表示する場合に好適となる（図５及び図７）。第３の嵌め合い形態は、第１の円筒部４が第１の受け２２に嵌らず、第２の円筒部５が第２の受け２３に嵌ることで、表示板Ｃが垂れ下がる形態である。これにより、陳列棚の前面が開放されるため、最上段に載置される在庫商品の荷降ろしや積み上げが行い易くなる（図６及び図８）。
【００２１】
次ぎに、表示板支持具１０及び表示板支持装置１０Ａの使用方法を図９〜図１２を参照して説明する。図９（Ａ）は、第１の嵌め合い形態であり、表示板Ｃは鉛直姿勢を採っている。表示板Ｃを傾斜姿勢としたい場合、表示板Ｃあるいは表示板支持部３を上方へ持ち上げ、第１の円筒部４と第１の受け２２の係止を外す。この際、第１の円筒部４の位置は第１の受けの頂部２２よりも高い位置にある。次いで、表示板支持部３を含む表示板Ｃ全体を前方へ回動させて、前方の凹状の受け２２ａに第１の円筒部４を嵌め込む（第２の嵌め合い形態）。これにより、表示板Ｃは前方斜め２０度の傾斜姿勢を採ることができる（図７及び図９（Ｃ））。
【００２２】
陳列棚の在庫商品を荷降ろす場合、第２の嵌め合い形態にある表示板Ｃあるいは表示板支持部３を上方へ持ち上げ、第１の円筒部４と第１の受け２２の係止を外す。この際、第１の円筒部４の位置は第１の受け２２の頂部よりも高い位置にある（図１０（Ａ））。次いで、表示板支持部３を含む表示板Ｃ全体を前方へ大きく回動させて、第２の円筒部５と第２の受け２３との係止のみとする。これにより、表示板Ｃは垂れ下がり姿勢を採ることができ、陳列棚の前面が大きく開放される（図８及び図１０（Ｂ））。
【００２３】
荷降ろしが終了し、再度、表示板Ｃを傾斜姿勢としたい場合、表示板支持部３を含む表示板Ｃ全体を上方へ回動させる（図１１（Ａ））。この際、第１の円筒部４が支持部２の前面部材２１の凸状面を滑ることになり、移動が円滑となる。この際、第２の円筒部５も縦長状貫通孔２３内を上昇移動する（図１１（Ｂ））。そして、第１の円筒部４が第１の受けの前方の凹状の受け２２ａに嵌りこんで、第２の嵌め合い形態となる。これにより、表示板Ｃは前方斜め２０度の傾斜姿勢を採ることができる（図７及び図１１（Ｃ））。
【００２４】
表示板Ｃの傾斜姿勢を鉛直姿勢としたい場合、表示板支持部３を含む表示板Ｃ全体を後方へ押す。この際、第１の円筒部４が前方の凹状の受け２２ａの後壁面２２１を滑ることになり、移動が円滑となる。この際、第２の円筒部５も縦長状貫通孔２３内を上昇移動する（図１２（Ａ））。そして、第１の円筒部４が第１の受けの後方の凹状の受け２２ｂに嵌りこんで、第１の嵌め合い形態となる。これにより、表示板Ｃは鉛直姿勢を採ることができる（図１及び図１２（Ｂ））。
【００２５】
なお、表示板支持具１０において、取付部１における取付本体部１１と、左右一対の支持部２間には、横長板状の商品転落防止板６０を設置する係合溝６１が形成されている（図１３）。従って、図１に示すように、表示板支持具１０の係合溝６１に横長板状の商品転落防止板６０を設置しておけば、表示板Ｃの表示角度を変える場合、突然、在庫商品が前方へ転落してくることを防止することができる。
【産業上の利用可能性】
【００２６】
スーパー、ドラッグストアなどにおいて、商品陳列棚の最上段に商品の在庫をしてところに、本考案の表示板支持具及び表示板支持装置を設置すれば、表示板鉛直姿勢や傾斜姿勢において、在庫商品の目隠しをできるため、売り場の雰囲気を悪くすることがない。また、表示板に商品情報を表示すれば、顧客側からよく見える。また、最上段に載置される在庫商品の荷降ろしや積み上げが行い易く、また、再セットも容易となり、作業効率が向上する。
【図面の簡単な説明】
【００２７】
【図１】本例の表示板支持装置の表示板鉛直姿勢（第１の嵌め合い形態）を示す図。
【図２】本例の表示板支持具の斜視図。
【図３】図２の表示板支持具を裏から見た斜視図。
【図４】Ｘ−Ｘ線に沿って見た図。
【図５】表示板傾斜姿勢における表示板支持具の斜視図。
【図６】表示板垂れ下げ姿勢における表示板支持具の斜視図。
【図７】本例の表示板支持装置の表示板傾斜姿勢（第２の嵌め合い形態）を示す図。
【図８】本例の表示板支持装置の表示板垂れ下げ姿勢（第３の嵌め合い形態）を示す図。
【図９】表示板を鉛直姿勢から傾斜姿勢へ移行させる表示板支持部の回転動作を説明する図。
【図１０】表示板を傾斜姿勢から垂れ下がり姿勢へ移行させる表示板支持部の回転動作を説明する図。
【図１１】表示板を垂れ下がり姿勢から傾斜姿勢へ移行させる表示板支持部の回転動作を説明する図。
【図１２】表示板を傾斜姿勢から鉛直姿勢へ移行させる表示板支持部の回転動作を説明する図。
【図１３】商品転落防止板が設置された表示板支持具の側面図。
【図１４】従来の表示板支持具の側面図。
【符号の説明】
【００２８】
１    取付部
２    支持部
３    表示板支持部
４      第１の円筒部
５      第２の円筒部
１０  表示板支持具
１１  取付本体部
２２    第１の受け
２２ａ    凹状の受け（前方）
２２ｂ    凹状の受け（後方）
２３    第２の受け
１１１    後方起立
１１６    上方係止片
１２３    下方バネ状係止片
Ａ    陳列棚
Ｂ        ＰＯＳレール
Ｃ      表示板
【図１】
0003130717.tif 000003
【図２】
0003130717.tif 000004
【図３】
0003130717.tif 000005
【図４】
0003130717.tif 000006
【図５】
0003130717.tif 000007
【図６】
0003130717.tif 000008
【図７】
0003130717.tif 000009
【図８】
0003130717.tif 000010
【図９】
0003130717.tif 000011
【図１０】
0003130717.tif 000012
【図１１】
0003130717.tif 000013
【図１２】
0003130717.tif 000014
【図１３】
0003130717.tif 000015
【図１４】
0003130717.tif 000016